(57)【要約】【課題】メンテナンス性を向上し得る照明装置を提供する。【解決手段】照明装置１０では、ＬＥＤモジュール２０と、開口部を有し内部にＬＥＤモジュール２０を収容可能な本体ケース３０と、ＬＥＤモジュール２０が発する光を出射可能な窓部５０ａを形成する窓枠５２およびこの窓枠５２の外周に形成されるカバー周壁５３から構成されて本体ケース３０の開口部を覆い、かつカバー周壁５３の内側で窓枠５２から離れる方向の所定位置に周溝５４を有するカバー５０と、窓枠５２から所定位置までの間隔の大きさとほぼ同じ大きさの厚みを有しカバー５０の内側から窓部５０ａを覆う外側レンズ６０等と、Ｃ字形状に形成され、自由外径がカバー５０の周溝５４の内径以上であり、カバー周壁５３の内径よりも小さい縮径外径に径方向内側へ弾性変形可能なスナップリング７０と、を備え、周溝５４にスナップリング７０が係合して外側レンズ６０等をカバー５０に保持する。【選択図】図８
2014107134.tif 000002
【特許請求の範囲】
【請求項１】
光源と、
開口部を有し内部に前記光源を収容可能な本体ケースと、
前記光源が発する光を出射可能な窓部を形成する窓枠およびこの窓枠の外周に形成される周壁から構成されて前記本体ケースの前記開口部を覆い、かつ前記周壁の内側で前記窓枠から離れる方向の所定位置に周溝を有するカバーと、
前記窓枠から前記所定位置までの間隔の大きさとほぼ同じ大きさの厚みを有し前記カバーの内側から前記窓部を覆う透光板と、
Ｃ字形状に形成され、自由状態の外径が前記カバーの前記周溝の最外周径以上であり、前記周壁の内径よりも小さい外径に径方向内側へ弾性変形可能な環状係止部材と、
を備え、前記周溝に前記環状係止部材が係合して前記透光板を前記カバーに保持することを特徴とする照明装置。
【請求項２】
前記環状係止部材は、前記Ｃ字形状の両端部から中央部へ向けて徐々に幅が大きくなる薄板状であり、前記周溝に係合した状態において前記窓部の開口径よりも前記Ｃ字形状の内径が大きいことを特徴とする請求項１に記載の照明装置。
【請求項３】
前記環状係止部材は、その中央部の幅が両端部の幅のほぼ２倍以上３倍以下であることを特徴とする請求項２に記載の照明装置。
【請求項４】
前記カバーの窓枠と前記透光板との間、または前記透光板と前記環状係止部材との間には、緩衝部材が介在していることを特徴とする請求項１〜３のいずれか一項に記載の照明装置。
【請求項５】
前記環状係止部材は、前記カバーの窓枠方向に前記透光板を押圧する押圧部を有することを特徴とする請求項２〜４のいずれか一項に記載の照明装置。
【発明の詳細な説明】
【技術分野】
【０００１】
本発明は、照明装置に関するものである。
【背景技術】
【０００２】
内部に光源を収容可能な本体ケースと、本体ケースの開口部を覆うカバーと、からなる照明装置としては、例えば、下記特許文献１に開示された「照明装置」がある。この照明装置は、半導体発光素子（光源）と、この発光素子を収容しその発光を外部へ放出する開口（開口部）を有する容器（本体ケース）と、この容器の開口を囲むように設けられ発光素子の発熱を外気へ放散する放熱板（カバー）と、発光素子の発光を拡散するガラス板（透光板）等から構成される。
【０００３】
この種の照明装置は、例えば、天井、壁や床等に埋め込んで使用されるもので、放熱板の開口を覆うガラス板は、容器と放熱板を天井等に取り付ける際、容器と放熱板との間に挟持することで固定されて組付けられる。また、この容器には、ガラス板を放熱板に対して押圧可能な肉厚部が形成されている（特許文献１；図６参照）。
【先行技術文献】
【特許文献】
【０００４】
【特許文献１】特開２０１１−６０４５０号公報
【発明の概要】
【発明が解決しようとする課題】
【０００５】
しかしながら、このような照明装置によると、例えば、メンテナンスをするために当該照明装置を取り外した場合、容器と放熱板（カバー）とが別々に外れてしまうことから、これらに挟持されていたガラス板もそれに伴って外れる。このため、メンテナンス作業中にガラス板が落下するおそれがあり作業がし難くいという問題がある。また、ガラス板を押圧する肉厚部を容器に形成すると容器の重量増加も招き易い。
【０００６】
本発明は、上述した課題を解決するためになされたもので、メンテナンス性を向上し得る照明装置を提供することを目的とする。また、軽量化が可能な照明装置を提供することを目的とする。
【課題を解決するための手段】
【０００７】
上記目的を達成するため、特許請求の範囲の請求項１に記載された照明装置は、光源と、開口部を有し内部に前記光源を収容可能な本体ケースと、前記光源が発する光を出射可能な窓部を形成する窓枠およびこの窓枠の外周に形成される周壁から構成されて前記本体ケースの前記開口部を覆い、かつ前記周壁の内側で前記窓枠から離れる方向の所定位置に周溝を有するカバーと、前記窓枠から前記所定位置までの間隔の大きさとほぼ同じ大きさの厚みを有し前記カバーの内側から前記窓部を覆う透光板と、Ｃ字形状に形成され、自由状態の外径が前記カバーの前記周溝の最外周径以上であり、前記周壁の内径よりも小さい外径に径方向内側へ弾性変形可能な環状係止部材と、を備え、前記周溝に前記環状係止部材が係合して前記透光板を前記カバーに保持することを特徴とする。「自由状態」とは、環状係止部材に外力が加わることなく放置された状態のことをいう。
【０００８】
また、特許請求の範囲の請求項２に記載された照明装置は、請求項１に記載された照明装置において、前記環状係止部材は、前記Ｃ字形状の両端部から中央部へ向けて徐々に幅が大きくなる薄板状であり、前記周溝に係合した状態において前記窓部の開口径よりも前記Ｃ字形状の内径が大きいことを特徴とする。
【０００９】
また、特許請求の範囲の請求項３に記載された照明装置は、請求項２に記載された照明装置において、前記環状係止部材は、その中央部の幅が両端部の幅のほぼ２倍以上３倍以下であることを特徴とする。
【００１０】
また、特許請求の範囲の請求項４に記載された照明装置は、請求項１〜３に記載された照明装置において、前記カバーの窓枠と前記透光板との間、または前記透光板と前記環状係止部材との間には、緩衝部材が介在していることを特徴とする。
【００１１】
また、特許請求の範囲の請求項５に記載された照明装置は、請求項２〜４に記載された照明装置において、前記環状係止部材は、前記カバーの窓枠方向に前記透光板を押圧する押圧部を有することを特徴とする。
【発明の効果】
【００１２】
本発明では、環状係止部材がカバーの周溝に係合することにより環状係止部材がカバーに係止されるため、環状係止部材とカバーの窓枠との間で透光板の厚さ方向の移動が規制される。これにより、透光板はカバーに保持されることから、本体ケースからカバーが取り外されたとしても、透光板はカバーから外れない。したがって、当該照明装置が天井等に取り付けられている場合、天井等からカバーを取り外しても、透光板の落下を防止するためメンテナンス性が向上する。
【００１３】
また、例えば、前述の特許文献１に開示される技術のように、本体ケースに肉厚部を形成して透光板を押圧することで透光板の厚さ方向の移動を規制する場合に比べて、本発明ではそのような肉厚部を形成しなくても透光板の厚さ方向の移動が規制できる。このため、照明装置を軽量化することが可能になる。
【００１４】
さらに、透光板をカバーに取り付ける場合、径方向内側へ弾性変形させた状態のＣ字形状の環状係止部材を周溝に係合させた後、自由状態にして変形を元に戻すという比較的に簡単な作業で透光板の取り付けができる。これにより、透光板の取り付けが容易になるため組付性が向上する。
【００１５】
またさらに、透光板をカバーに取り付ける際、カバーの窓枠と透光板との間、または透光板と環状係止部材との間に緩衝部材を介在させて透光板をカバーに押圧する。これにより、例えば、カバーの窓枠と透光板との間、または透光板と環状係止部材との間に隙間が生じたとしても緩衝部材がこれらを押圧することでこの隙間がなくなる。そのため、このような隙間に起因する透光板のガタつきを防止することが可能になる。なお、このような緩衝部材に代えて、環状係止部材のカバー窓枠方向に押圧部を設けても同様の作用効果が得られる。
【図面の簡単な説明】
【００１６】
【図１】本実施形態に係る照明装置の外観構成等を示す斜視図で、図１(A)は照明装置をカバー側（表側）から見たもの、図１(B)は照明装置を本体ケース側（裏側）から見たもの、図１(C)は照明装置の使用状態を示すもの、である。
【図２】図２(A)はカバーを外した状態のケース本体の正面図、図２(B)は照明装置の正面図、である。
【図３】図３(A)は図２(B)に示す３Ａ−３Ａ線による断面図、図３(B)は図２(B)に示す３Ｂ−３Ｂ線による断面図、図３(C)は図３(B)に示す一点鎖線円内の拡大断面図、である。
【図４】カバーを裏側から見た斜視図である。
【図５】照明装置を構成するスナップリングを示す図で、図５(A)は正面図、図５(B)は５Ｂ方向から見た底面図、図５(C)は５Ｃ方向から見た右側面図、である。
【図６】カバーの周溝とスナップリングとの寸法関係を示す説明図で、紙面上方から、カバー、自由状態のスナップリング（実線）、変形状態のスナップリング（破線）、正面視のスナップリングを示す図である。
【図７】スナップリングの他の構成例として凸部を設けた場合の図で、図７(A)は正面図、図７(B)は７Ｂ方向から見た底面図、図７(C)は７Ｃ方向から見た右側面図、である。
【図８】照明装置を分解した状態を示す斜視図である。
【図９】図９(A)は本体ケースの正面図、図９(B)は本体ケースの背面図、である。
【図１０】図１０(A)は本体ケースの平面図、図１０(B)は本体ケースの底面図、である。
【図１１】図１１(A)は本体ケースの右側面図、図１１(B)は本体ケースの左側面図、である。
【図１２】図１２(A)は本体ケースの正面斜め方向から見た斜視図、図１２(B)は本体ケースの背面斜め方向から見た斜視図、である。
【図１３】図１３(A)は照明装置を構成するＬＥＤモジュールの正面図、図１３(B)はＬＥＤモジュールの背面図、である。
【図１４】図１４(A)はＬＥＤモジュールの平面図、図１４(B)はＬＥＤモジュールの底面図、である。
【図１５】図１５(A)はＬＥＤモジュールの右側面図、図１５(B)はＬＥＤモジュールの左側面図、である。
【図１６】ＬＥＤモジュールの正面斜め方向から見た斜視図である。
【発明を実施するための形態】
【００１７】
以下、本実施形態に係る照明装置について図を参照して説明する。まず、本実施形態の照明装置１０の外観構成等を図１に基づいて説明する。
【００１８】
図１(A)および図１(B)に示すように、照明装置１０は、主に、本体ケース３０とカバー５０とから構成されている。本体ケース３０には、後述するＬＥＤモジュールが内部に収容されている。カバー５０には窓部５０ａが設けられており、この窓部５０ａからＬＥＤモジュールが発する光を出射する。
【００１９】
この照明装置１０は、図１(C)に示すように、例えば、ダウンライトとして、車両や建物の天井や壁等に取り付けられて使用される。天井１００には、照明装置１０（のカバー５０）の外径よりもやや大きい穴部１００ａが形成されこの穴部１００ａに、カバー５０の窓枠５２の表面と天井１００の表面がほぼ同じ高さ、つまり面一（ツライチ）となるように埋め込まれる。照明装置１０は、本体ケース３０に設けられるマウンティングナット３８を介して天井１００に固定される。
【００２０】
なお、図１に示す符号３２はケース周壁を、符号３３はフランジ部を、符号３６はケーブル穴を、符号３９はアース用ボルトを、符号５３はカバー周壁を、符号６０は外側レンズを、符号９０はボルトを、それぞれ示す。これらについては後述する。
【００２１】
次に、図２〜図８を参照して照明装置１０の各構成の詳細を説明する。カバー５０の構成を説明する前に、まず、図２(A)および図３に基づいてＬＥＤモジュール２０について説明する。なお、図３(A)は、図２(B)に示すように、カバー５０の正面視中央から「へ字状」に折れ曲がった３Ａ−３Ａ線で切断された断面図であることに注意されたい。
【００２２】
ＬＥＤモジュール２０は、基板２１やＬＥＤ２２等から構成されている。基板２１は、プリント配線板（ガラスエポキシ基板やアルミベース基板等）で、本実施形態では、例えば円形状に形成されている。基板２１の表面には、複数のＬＥＤ２２が所定の間隔で半田付けされている。本実施形態では、３０個のＬＥＤ２２が基板２１の表面のほぼ全体にマトリックス状に配置されている。
【００２３】
ＬＥＤ２２は、高輝度仕様の発光ダイオードで、駆動電力として所定の定電流が供給されると白色光を発する半導体発光素子である。本実施形態では、基板２１に面実装可能にチップ部品仕様に樹脂モールドされている。なお、発光色は、赤色、緑色、青色、黄色等の白色以外でもよい。
【００２４】
基板２１の裏面は、全面が本体ケース３０の底部３１に接するように、接着剤や両面テープ等（熱伝達特性の良好なもの）で固定されている。これにより、基板２１はその裏面が底部３１にほぼ面状に接触するためＬＥＤ２２による発熱を良好に本体ケース３０に逃がすことが可能となる。また、基板２１の周縁の一部には、円形状の切欠部２３が設けられている。この切欠部２３は、ＬＥＤ２２に電力を供給する図略の電源ケーブル用に設けられるもので、その内径は、電源ケーブルの外径よりも大きく設定されている。
【００２５】
次に、図２(A)および図３に基づいて本体ケース３０について説明する。本体ケース３０は、底部３１、ケース周壁３２、フランジ部３３、折返し部３４等がプレス加工等により一体に成形された有底の円筒体である。なお、本実施形態では、本体ケース３０は、加工性および熱伝導性の良好さから、例えばアルミニウム製である。
【００２６】
底部３１は、平坦な円形状に形成されており、その周縁の全周に亘って、開口部３０ａ側に向けて立ち下がるケース周壁３２を備えている。このケース周壁３２は、底部３１から開口部３０ａ側に向けて円筒状に徐々に拡径しており、その軸方向断面は台形状をなす（図３参照）。
【００２７】
フランジ部３３は、ケース周壁３２の開口部３０ａ側から本体ケース３０の径方向外側に向けて円環状に形成されている。このフランジ部３３には、周方向に所定の間隔で雌ねじ部３８ａを有する円筒形状のマウンティングナット３８が設けられている。このマウンティングナット３８は、フランジ部３３に形成された孔部に圧入固定されている。本実施形態では、等間隔で４箇所にマウンティングナット３８が設けられている。また、マウンティングナット３８は、照明装置１０を直接またはブラケット等を介して天井１００等に取り付けるためのものである。
【００２８】
折返し部３４は、フランジ部３３の周縁の全周に亘って底部３１側へ向けて立ち上がるように形成されている。この折返し部３４には、ケース周壁３２側に向けて雌ねじ部３７ａを有する円筒形状のケーシングナット３７が周方向に所定の間隔で設けられている。本実施形態では、対向する２箇所にケーシングナット３７が設けられている。このケーシングナット３７は、雌ねじ部３７ａにボルト９０をねじ締結することで、本体ケース３０とカバー５０を固定するためのもので、折返し部３４に形成された孔部に圧入固定されている。
【００２９】
なお、底部３１にはケーブル穴３６が設けられている。このケーブル穴３６は、切欠部２３と同様にＬＥＤ２２に電力を供給する電源ケーブル用に設けられるもので、その内径は、電源ケーブルの外径よりも大きく設定されている。また、このケーブル穴３６の近傍には、アース用ボルト３９（図１，図８〜図１２参照）が設けられている。このアース用ボルト３９は、本体ケース３０の底部３１側から挿通されて底部３１の外側に向けて突出しており、これにアース線を取り付けることで静電気等をアース等に逃がし得る。
【００３０】
次に、図２(B)，図３および図４に基づいてカバー５０の構成を説明する。カバー５０は、本体ケース３０の開口部３０ａを覆うとともに、後述する外側レンズ６０、拡散フィルム６１および拡散レンズ６２（以下「外側レンズ６０等」という）を後述のスナップリング７０により保持して収容するものである。カバー５０は、窓枠５２とカバー周壁５３とがプレス加工等により一体成形されている。なお、本実施形態では、カバー５０も、本体ケース３０と同様に、例えば、加工性や熱伝導性が良好なアルミニウムからなる。
【００３１】
窓枠５２は、ＬＥＤ２２が発する光を外部に出射するための窓部５０ａを形成し、幅のある円環状をなしている。この窓枠５２には、窓枠５２の外周縁の全周に亘って立ち上がるカバー周壁５３が形成されている。
【００３２】
カバー周壁５３には、本体ケース３０の折返し部３４に設けられたケーシングナット３７に対応する位置に貫通孔５５が設けられている。これにより、本体ケース３０をカバー５０で覆った状態において、この貫通孔５５を通るボルト９０がケーシングナット３７の雌ねじ部３７ａとねじ締結することで、本体ケース３０にカバー５０を固定することが可能になる。また、カバー周壁５３の内周壁には、外側レンズ６０等の厚さの合計に相当する距離とほぼ同程度の距離だけ窓枠５２から離れた位置に、周溝５４が設けられている。この周溝５４には後述するスナップリング７０が係止される。
【００３３】
なお、図３(C)に示すように、カバー周壁５３は、周溝５４を境界にしてその内周壁の内径に差ｋがある。即ち、カバー周壁５３の内周壁は、周溝５４よりも窓枠５２側の内周壁の方が、窓枠５２の反対側の内周壁よりも内径が小さく設定されている。このため、周溝５４においては窓枠５２側に段部５４ａが形成されている。これにより、後述するように、スナップリング７０の位置決めを容易にしている。
【００３４】
カバー５０には、その内側から窓部５０ａを塞ぐように外側レンズ６０が収容されている。本実施形態では、外側レンズ６０は、円形状の無色透明のガラス板で、その外径は、窓枠５２の内径よりも大きく、かつカバー周壁５３の内径よりも僅かに小さく設定されている。窓部５０ａの内側を向く外側レンズ６０の内面には拡散フィルム６１がほぼ全面に貼り付けられている。この拡散フィルム６１は、例えば、複屈折を有する乳白色のシート部材で、ＬＥＤ２２から出射された光を拡散する。これにより、ＬＥＤ２２の光をほぼ均一に外部に出射することが可能になる。また、拡散フィルム６１は、拡散レンズ６２が割れた際の飛散防止フィルムとしても機能する。
【００３５】
拡散レンズ６２は、外側レンズ６０の内面側に重ねられてカバー５０内に収容されている。拡散レンズ６２は、外側レンズ６０とほぼ同じ円板形状に形成されており、ＬＥＤ２２から出射された光を広範囲に拡散させる機能を有する。
【００３６】
図３および図５に示すようにスナップリング７０は、例えば、薄板状のばね鋼からなりプレス加工等によりＣ字形状に形成されている。スナップリング７０の外径は、カバー５０の周溝５４の内径よりも大径に設定されている。なお、ここでいうスナップリング７０の外径は、スナップリング７０に外力が加わらない状態（以下「自由状態」という）における外径である。
【００３７】
また、スナップリング７０の内径は、カバー５０の窓部５０ａの開口径よりも大きく設定されており、後述するように周溝５４に係止された状態においてもその内径が窓部５０ａの開口径よりも小さくならないように設定されている。これにより、スナップリング７０がＬＥＤ２２の発する光を遮ることのないようにしている。スナップリング７０の板厚は、カバー５０の周溝５４の溝幅よりも僅かに薄く、例えば、１．６ｍｍの溝幅に対して約１．５ｍｍに設定されている。
【００３８】
スナップリング７０の形状は、単なるＣ字形状ではなく、両端部７１から中央部７２に向けて徐々に幅が広くなり中央部７２で幅が最も広くなるように設定されている。中央部７２の幅は、端部７１の幅の約２倍以上３倍以下の範囲で設定され、本実施形態では２．５倍に設定している。なお、これらの数値は、弾性係数などの金属材料の特性や個別具体的な実験や計算機シミュレーションなどによって定められる。これにより、スナップリング７０は比較的簡単な作業で縮径し、かつカバー５０の周溝５４に係止しされ得る弾性力を得ている。
【００３９】
スナップリング７０のそれぞれの端部７１には、この端部７１の幅よりも径が大きい円環状に形成された先端部７３が設けられている。この先端部７３は、スナップリング７０の径方向内側に入り込むように形成されており、スナップリング７０の外周径内に収まるように先端部７３が位置する。先端部７３の貫通孔７４は、ラジオペンチ状の図略の治具の先端を挿入するために設けられている。即ち、それぞれの端部７１の貫通孔７４に挿入した治具の先端を閉じるように治具を操作することによって、両方の端部７１の離隔距離が狭くなるようにスナップリング７０が縮径する。これにより、次に説明するようにカバー５０の周溝５４へのスナップリング７０の取り付けが可能になる。
【００４０】
次に、図６に基づいて、カバー５０に、スナップリング７０を取り付ける場合のカバー５０とスナップリング７０との寸法関係を説明する。この図では、自由状態におけるスナップリング７０を実線で表し、変形状態におけるスナップリング７０’を破線で表している。また、ｄ１は周溝５４の内径、ｄ２はカバー周壁５３の内径、ｄ３はスナップリング７０の自由外径、ｄ３’はスナップリング７０の縮径外径、をそれぞれ表す。
【００４１】
図６に示すように、スナップリング７０は、その自由外径ｄ３が周溝５４の内径ｄ１やカバー周壁５３の内径ｄ２よりも大径に設定されている。そのため、このままではカバー５０内にスナップリング７０が入らない。このため、先に説明した治具を使用して、スナップリング７０の縮径外径ｄ３’がカバー周壁５３の内径ｄ２よりも小さくなるように、スナップリング７０を縮径させる。これにより、縮径したスナップリング７０’がカバー５０内に入れることが可能になる。そして、スナップリング７０’を周溝５４に入るように位置を合わせて治具からスナップリング７０’を解放する。すると、周溝５４内で自由状態になったスナップリング７０は周溝５４に係合するため、スナップリング７０がカバー５０に係止される。これにより、スナップリング７０とカバー５０の窓枠５２との間で挟まれる外側レンズ６０等がカバー５０に保持されることから、外側レンズ６０等の軸方向への移動が規制される。
【００４２】
ところで、スナップリング７０によって外側レンズ６０等のその軸方向への移動は規制できるものの、カバー５０の窓枠５２から周溝５４までの距離の方が、外側レンズ６０等の厚さの合計に相当する距離よりも大きい場合には、窓枠５２と外側レンズ６０との間、外側レンズ６０と拡散レンズ６２との間、または拡散レンズ６２とスナップリング７０との間、に隙間が生じる。そのため、窓枠５２とスナップリング７０との間で外側レンズ６０等がガタつく可能性がある。カバー５０や外側レンズ６０等の加工精度を高めてこの隙間の発生を抑えるには、製造コストや設備コストの点で問題がある。
【００４３】
そこで、本実施形態では、カバー５０の窓枠５２と外側レンズ６０との間に不織布８０（図３(C)，図８参照）を挟み込むことで隙間をなくしている。この不織布８０は、カバー５０の窓枠５２と外側レンズ６０との間に接着剤や両面テープ等により周方向に所定の間隔で取り付けられる。本実施形態では、例えば、等間隔で１２箇所に不織布８０が取り付けられる。これにより、外側レンズ６０等は、スナップリング７０側に押圧されるため、軸方向の隙間がなくなり外側レンズ６０等のガタつきを抑制することが可能になる。なお、不織布８０は、外側レンズ６０と拡散レンズ６２との間に挟み込んでもよい。
【００４４】
次に、図７に基づいてスナップリング７０の他の構成例として、凸部１７５を設けたスナップリング１７０について説明する。スナップリング１７０は、凸部１７５を設けた点が、前述したスナップリング７０と異なる。そのため、他の構成部分については、実質的に同一であるので、これらの部分については説明を省略する。なお、図５に示す符号７０，７１，７２，７３，７４は、それぞれ図７に示す符号１７０，１７１，１７２，１７３，１７４に対応する。
【００４５】
凸部１７５は、プレス加工等を施すことにより周方向に所定の間隔で設けられている。本実施形態では、例えば、等間隔で１１箇所に凸部１７５を設けている。これにより、凸部１７５が外側レンズ６０側に向くようにスナップリング１７０が周溝５４に係合すると、外側レンズ６０等は、カバー５０の窓枠５２側に押圧される。そのため、軸方向の隙間がなくなることから、不織布８０を取り付けなくても外側レンズ６０等のガタつきを抑制することが可能になる。
【００４６】
次に、図２，図３，図６および図８に基づいて、本実施形態に係る照明装置１０の組付け手順の一例について説明する。まず、本体ケース３０にＬＥＤモジュール２０を取り付ける。例えば、ＬＥＤモジュール２０の裏側または本体ケース３０の底部３１に接着剤を塗布した後、ＬＥＤモジュール２０の切欠部２３と本体ケース３０のケーブル穴３６との両方が合うよう位置合わせをして、基板２１の裏面を底部３１のほぼ全面に密着させる。接着剤が乾いた後、ケーブル穴３６に図略の電源ケーブルを通して、ＬＥＤモジュール２０の基板２１に電源ケーブルを半田付けする。これにより、本体ケース３０側が組み上がる。なお、接着剤の代わりに両面テープを用いてもよい。また、ねじ締結によりＬＥＤモジュール２０を本体ケース３０に固定してもよい。
【００４７】
カバー５０側の組み立ては、例えば次の手順により行う。窓枠５２の内側に不織布８０を接着剤や両面テープ等で周方向に等間隔に貼付した後、不織布８０が付いた窓枠５２に外側レンズ６０等を載置する。次に、スナップリング７０の両方の貫通孔７４に治具の先端を挿入し、スナップリング７０の外径が縮径外径ｄ３’以下になるまでスナップリング７０を治具で縮径させて、縮径したスナップリング７０’をカバー５０の周溝５４に合わせる。このとき、図３(C)を参照して説明したように、周溝５４の段部５４ａにスナップリング７０’を当接させることで、スナップリング７０’の位置決めが容易にできる。スナップリング７０’の全周が周溝５４に位置していることを確認した後、治具を緩めてスナップリング７０の外周縁を周溝５４に係合させる。これにより、スナップリング７０が周溝５４に係止されるため、外側レンズ６０等がカバー５０に取り付けられてカバー５０側が組み上がる。
【００４８】
このようにして組み立てられた本体ケース３０側とカバー５０側は、ボルト９０で固定される。即ち、本体ケース３０の開口部３０ａを覆うように本体ケース３０にカバー５０を被せた後、カバー５０の貫通孔５５が本体ケース３０のケーシングナット３７（雌ねじ部３７ａ）に合うようにカバー５０を回して位置合わせをする。位置合わせができたら、ボルト９０をケーシングナット３７に螺合させてねじ締め固定する。これにより、照明装置１０の組付けが完了する。
【００４９】
図９〜図１１に本体ケース３０の６面図を示す。また、図１２に本体ケース３０の斜視図を示す。また、図１３〜図１５にＬＥＤモジュール２０の６面図を、また図１６にＬＥＤモジュール２０の斜視図を、それぞれ示す。
【００５０】
以上説明したように、本実施形態に係る照明装置１０によると、ＬＥＤモジュール２０と、開口部３０ａを有し内部にＬＥＤモジュール２０を収容可能な本体ケース３０と、ＬＥＤモジュール２０が発する光を出射可能な窓部５０ａを形成する窓枠５２およびこの窓枠５２の外周に形成されるカバー周壁５３から構成されて本体ケース３０の開口部３０ａを覆い、かつカバー周壁５３の内側で窓枠５２から離れる方向の所定位置に周溝５４を有するカバー５０と、窓枠５２から所定位置までの間隔の大きさとほぼ同じ大きさの厚みを有しカバー５０の内側から窓部５０ａを覆う外側レンズ６０等と、Ｃ字形状に形成され、自由外径ｄ３がカバー５０の周溝５４の内径ｄ１以上であり、カバー周壁５３の内径ｄ２よりも小さい縮径外径ｄ３’に径方向内側へ弾性変形可能なスナップリング７０と、を備える。そして、周溝５４にスナップリング７０が係合して外側レンズ６０等をカバー５０に保持する。
【００５１】
これにより、周溝５４に係止されたスナップリング７０とカバー５０の窓枠５２との間に外側レンズ６０等が保持されるため、外側レンズ６０等の軸方向への移動が規制されて、カバー５０から外側レンズ６０等が脱落しない。したがって、照明装置１０からカバー５０を取り外しても、外側レンズ６０等が落下しないため、メンテナンス性が向上する。また、本体ケース３０に外側レンズ６０等の軸方向への移動を規制する部分を設ける必要がないため、本体ケース３０に外側レンズ６０等の軸方向への移動を規制する部分を設けた場合に比べ、照明装置１０の重量を軽減することが可能になる。
【００５２】
なお、本実施形態では、本体ケース３０およびカバー５０をアルミニウム製にしたが、ＬＥＤモジュール２０の発熱を効率的に放熱できる部材であれば他の金属や合成樹脂で形成してもよい。
【００５３】
また、本実施形態では、本体ケース３０およびカバー５０の形状を円形状に形成したが、スナップリング７０をカバー５０に係止可能な形状であれば、例えば角形状等に本体ケース３０やカバー５０を形成してもよい。これにより、使用者のニーズや使用環境に対応した照明装置１０を提供することが可能になる。
【００５４】
さらに、本実施形態では、本体ケース３０とカバー５０の形状を同形状に形成したが、例えば、本体ケース３０を円形状、カバー５０を角形状に形成してもよい。即ち、スナップリング７０により外側レンズ６０等の軸方向の移動を規制するカバー５０であればそれぞれの形状は任意である。
【００５５】
また、本実施形態では、照明装置１０を車両や建物の天井や壁等に取り付けて「ダウンライト」として使用する例を挙げて説明したが、照明装置１０を車両や建物の床等に取り付けて「アップライト（グランドアップライト）」として使用してもよい。その場合も、上述と同様の作用効果が得られる。
【００５６】
また、本実施形態では、照明装置１０の光源としてＬＥＤモジュール２０を用いたが、発光ダイオード以外の光源、例えば白熱電球を用いてもよい。この場合も、上述と同様の作用効果が得られる。
【符号の説明】
【００５７】
１０…照明装置
２０…ＬＥＤモジュール（光源）
３０…本体ケース
３０ａ…開口部
５０…カバー
５０ａ…窓部
５２…窓枠
５３…カバー周壁（周壁）
５４…周溝
６０…外側レンズ（透光板）
６２…拡散レンズ（透光板）
７０、７０’、１７０…スナップリング（環状係止部材）
７１、１７１…端部(Ｃ字形状の両端部)
７２、１７２…中央部
１７５…凸部（押圧部）
８０…不織布（緩衝部材）
ｄ１…内径（周溝の最外周径）
ｄ２…内径（周壁の内径）
ｄ３…自由外径（自由状態の外径）
ｄ３’…縮径外径
【図１】
2014107134.tif 000003
【図２】
2014107134.tif 000004
【図３】
2014107134.tif 000005
【図４】
2014107134.tif 000006
【図５】
2014107134.tif 000007
【図６】
2014107134.tif 000008
【図７】
2014107134.tif 000009
【図８】
2014107134.tif 000010
【図９】
2014107134.tif 000011
【図１０】
2014107134.tif 000012
【図１１】
2014107134.tif 000013
【図１２】
2014107134.tif 000014
【図１３】
2014107134.tif 000015
【図１４】
2014107134.tif 000016
【図１５】
2014107134.tif 000017
【図１６】
2014107134.tif 000018